(57)【要約】本発明は、特定の事象が特定の日時に、また、どのような適当な場所であれ、或る特定の地点で現実に起こったことを保証する検証報告に関するものである。本発明は、安全ケース内に、中央処理装置（１）と、カメラおよび／またはビデオカメラ、かつ／または、音声記録装置のようなディジタル視聴覚装置（２）と、クロック（３）と、視聴覚装置（２）から転送されてきたデータストリームの中にクロック（３）によって供与される一時的情報を埋込むことができるウォーターマーカ（４）とを備えていることを特徴とする検証装置（１００）を提供する。この装置（１００）は、上述の装置に加えて、また、企図された適用例しだいでは、ディジタルデータを供与する補足的に組込まれた測定機器類を備えていてもよいが、特に、ＧＰＳのような地理的位置測定装置（５）を備えているようにしてもよい。
2006512801.tif 000002
【特許請求の範囲】
【請求項１】
安全ケース内に、
中央処理装置（１）と、
少なくとも１個のディジタル視聴覚装置（２）と、
クロック（３）と、
視聴覚装置（２）から転送されるデータストリームの中にクロック（３）によって供与される一時的情報を埋込むことができるウォーターマーカ（４）とを備えていることを特徴とする検証装置（１００）。
【請求項２】
前記視聴覚装置（２）がカメラであることを特徴とする、請求項１に記載の装置。
【請求項３】
前記視聴覚装置（２）がビデオカメラであることを特徴とする、請求項１に記載の装置。
【請求項４】
前記視聴覚装置（２）が音声記録装置であることを特徴とする、請求項１に記載の装置。
【請求項５】
前記装置の地理的位置を測定する装置（５）を更に備えており、また、前記視聴覚装置（２）から転送されてきたデータストリーム中に、地理的位置測定装置（５）によって供与された情報を前記ウォーターマーカ（４）が埋込むことができることを特徴とする、請求項１から請求項４のいずれかに記載の装置。
【請求項６】
前記地理的位置測定装置（５）が、ＧＰＳシステムの一部を形成している受信装置であることを特徴とする、請求項５に記載の装置。
【請求項７】
前記装置が距離測定装置を更に備えていることを特徴とする、請求項１から請求項６のいずれかに記載の装置。
【請求項８】
前記装置が温熱探針を更に備えていることを特徴とする、請求項１から請求項７のいずれかに記載の装置。
【請求項９】
前記装置が傾斜計を更に備えていることを特徴とする、請求項１から請求項８のいずれかに記載の装置。
【請求項１０】
前記装置が電子式コンパスを更に備えていることを特徴とする、請求項１から請求項９のいずれかに記載の装置。
【請求項１１】
前記装置が、機密データの外部データ源を取付けられるようにする少なくとも１個のコネクタ（１０）を更に備えていることを特徴とする、請求項１から請求項１０のいずれかに記載の装置。
【発明の詳細な説明】
【技術分野】
【０００１】
本発明は、特定の事象が特定の日時に、また、場合によっては、特定の地点で現実に起こったことを保証する検証報告に関するものである。
【背景技術】
【０００２】
このような調査報告の必要性は数多くの技術活動や商業活動で頻繁に生じる。ここに幾つか具体例を挙げると、例えば、建造物の施工者や輸送交通の基幹施設の建設業者は作業の進行を検証する必要があるし、ボイラー製造者はパーツを製造している現在の工程が仕様書に本当に一致していることを検証する必要があるし、空中ケーブル維持管理会社は取決めた日に鉄塔の頂上で必要な修理が実際に行われていることを証明することができなければならないし、空港滑走路維持管理会社は航空機の着陸を繰り返すことで生じた滑走路の劣化を調査する必要があるし、交通事故の後では、警察は道路状況や事故に巻き込まれた車両の状態を報告する必要があるし、生鮮食品の配給会社は食品が正しく保存されていることを検証する必要があるし、著作権保護協会は特定の音楽作品が承認を得ずに特定の公共の場所で演奏されたことを証明する必要がある。
【発明の開示】
【発明が解決しようとする課題】
【０００３】
従来は、かかる適用事例を検証するように専門家が依頼を受けていたが、これには幾つかの欠点があり、特に次のような欠点が顕著であった。
（１）専門家を雇う料金や旅費が高い、
（２）専門家の数が限られているし、作業のために専門家が１地点から別な地点へ移動するのに要する時間のせいで、検証を依頼してから検証結果を得るまでにかなり時間的に遅れる、
（３）専門家は或る程度の数の精密機器を頻繁に操作しなければならないが、それと同時に、そのような精密機器の操作中に人為的ミスが発生する可能性が生じる、
（４）場合によっては、専門家の誠意が疑われるようなこともあり、特に、その専門家を採用した人または法人が検証結果いかんで金銭的利害が絡むような場合はそうなることもある。
【０００４】
よって、本発明は、上述の欠点を回避しながら検証を実施できるようにすることに関するものである。
【課題を解決するための手段】
【０００５】
したがって、本発明は、安全ケース内に、
中央処理装置（ＣＰＵ）と、
少なくとも１個のディジタル視聴覚装置と、
クロックと、
視聴覚装置から転送されるデータストリームの中にクロックによって供与される一時的情報を埋込むことができるウォーターマーカ（watermarker）とを備えている検証装置に関するものである。
【０００６】
本発明のおかげで、人間である専門家に取って代わって、簡単に説明した上述の装置を有利に利用することができるようになり、かかる装置の操作は人が行うことになるが、雇い入れた専門家ではないし、検証を実施するのに必要な技術的知識を必ずしも有している人とは限らない。これは、設置して起動させてしまえば、写真および／またはビデオフィルム、かつ／または、音声記録などのような日付の付いた視聴覚記録を装置が自動的に提供するからである。更に、本発明による装置は、上述の各種素子に加えて、企図された適用例次第では、ディジタルデータを提供する補足的に組込まれた測定機器類を備えていることもある。
【０００７】
本発明による装置の安全ケースは、実際には勝手に中をいじくれないような構造になっているのが有利なことがある。これは、上述したすべての素子と機器類とが遠隔制御により起動され、或いは、安全ケースの表面に取付けられたボタンによって起動されるからであり、更には、データのディジタルフォーマットにより、何か特別で確実な方法を利用すれば装置のケースを開封しなくても、データを抽出することができるからである。従って、この装置によって行われる測定はすべて真正と認められ、提供されたデータの中でも、特に、視聴覚記録が実施された時点で供与されたデータは、そのデータが視聴覚記録というデータストリームの中に埋込まれていることによって、絶対的な保証を得られる。
【０００８】
更に、装置に組込まれた機器類によって実行される測定の精度は、人間の専門家が提供し得る精度を容易に超越できる。最後に、本発明による装置は幾つものデータ記録を同時に行う能力があり、このようなことは、例えば、３つ以上の同時記録を行わなければならないような瞬間から、人間の専門家には物理的に不可能となる。
【０００９】
本発明による装置を選択地域全体に頒布することで、その地域のどの所望の地点でも検証が迅速に実施されるようになるのは明白である。どの装置によって記録されたデータでも容易にそこから抽出できるし、抽出データを何か確実なチャネルによって調査を委託した人に伝送することができる。
【００１０】
特別な特性に従えば、本発明の装置は、自らの地理的位置を測定する装置を更に備えていてもよいが、上述のウォーターマーカは、視聴覚装置から転送されてきたデータストリーム中に、その地理的位置測定装置によって供与された情報を埋込むことができる。この地理的位置測定装置は、ＧＰＳ（地球規模測位システム）のような世界的な位置探査システムの一部を形成している受信装置であるのが有利であるかもしれない。
【００１１】
上記以外の特別な特性によれば、本発明の装置は、レーザー送受信装置などの距離測定装置を更に備えている。この距離測定装置は、例えば、本発明の装置と装置に組込まれた写真レンズの視野に入る一連の点との間の距離を測定することができるようにしている。このように連続して測定するせいで、写真撮影された物体の寸法は特に論理的に推定することができる。
【００１２】
より特別な特性によれば、本発明の装置は温熱探針を更に備えている。この温熱探針によって、例えば、写真撮影された鋳造部品などの物体の温度を遠隔測定することができるようになっている。
【００１３】
更により特別な特性によれば、本発明の装置は傾斜計を更に備えている。この傾斜計により、測定する前に水平線に関する本発明装置の傾斜を測定することができるようになっている。
【００１４】
それより更に特別な特性によれば、本発明の装置は電子式コンパスを更に備えている。このコンパスにより、測定する前に磁石の北極（Ｎ極）に関する本発明装置の配向を測定することができるようになっている。
【００１５】
より特別な特性によれば、本発明の装置は、機密データの外部データ源の取付けを行えるようにする、少なくとも１個のコネクタを更に備えている。このようなコネクタの具体例としては、本発明の装置から幾らかの距離を隔てて取付けられるＧＰＳ受信装置を挙げることができるが、これは、装置のまさにその位置でＧＰＳ信号を受信することが不調すぎるような場合に利用される。
【００１６】
本発明の上記以外の局面や利点は、制限的ではない具体例として挙げられた実施形態の、後段の詳細な説明を読めば明らかとなる。以下の説明は１つの添付図面を参照しながら記載されている。
【発明を実施するための最良の形態】
【００１７】
添付の図面は、本発明の実施形態による検証装置１００を例示している。
装置１００は非常に堅牢な剛性ケース１３に包含された一群の処理装置から構成されているが、このケースは悪意のある人でも開けることは相当に困難であり、そのような事態は処理装置の大半を破壊する以外には起こり得ない。ケース１３には、スタンド（図示せず）を取付けるためのコネクタ９が設けられており、このスタンドによって装置１００を所要の高さに位置決めし、かつ、必要に応じて装置を傾斜させることができる。装置１００を構成している機器の各部は蓄電装置１１によって動力を供給されるが、ケース１３内に包含されている機器の上記該当部以外の各部と蓄電装置との接続部は例示を簡略にするために表示されていない。この蓄電装置１１は、コネクタ１２を用いて再充電することができる。
【００１８】
本発明によれば、装置１００は中央処理装置（ＣＰＵ）を備えており、ケース１３の内部に包含されている機器の別な各部との接続部は図面を簡略にするために表示されていない。ＣＰＵ１はプログラミング可能なリードオンリーメモリ（ＲＯＭ）と協働するようにされている。装置１００はスイッチ７によってＣＰＵ１に電源投入することで作動状態になるが、この変形例として、赤外線放射などを利用した、遠隔起動を利用できるようにしてもよい。
【００１９】
本発明によれば、装置１００はディジタル視聴覚装置を備えており、本件では２個の視聴覚装置を設けているが、これらはカメラ２’（レンズ、シャッター、ＣＣＤセンサー、および、画像処理回路を含んでいる）と、アナログ−デジタル変換装置が設けられたマイクロフォン２”である。
【００２０】
本発明によれば、装置１００はクロック３も備えている。
【００２１】
装置１００に組込むことができる測定器具類の中でも、ＧＰＳ受信装置のように、地理的位置を測定する装置５を利用することが有用となることが多い。ＧＰＳ受信装置が地球の衛星から受信されたデータを管理し、また、このシステムによって、１分程度の待ち時間後に１メートルの精度で地理的位置を入手できることを覚えていてもよいだろう。最適受信品質を確保するために、ＧＰＳ受信装置にケース１３の外面と一体型にしたアンテナ（図示せず）を設けることが推奨される。ＧＰＳシステムは日付と時刻も提供するため、本発明装置がＧＰＳを備えた設計とする場合には、ＧＰＳ受信装置の対応する部分がクロック３であると見なして、クロック機能を二重装備しないようにするのが好ましい。
【００２２】
更に、装置１００には少なくとも１個のコネクタ１０が設けられており、これにより、外部データ源を取付けることができるようにしている（図示せず）。不正な試みから保護するために、この外部データ源によって供与されるデータは論理装置１４によって装置１００への入力端で認証が行われるが、これは、パスワードなどを利用した従来の確実な方法によって実施される。
【００２３】
このようにして収集されたディジタルデータはすべてウォーターマーカ４に伝えられる。本発明によれば、ウォーターマーカ４は、視聴覚装置（本件では２’と２”）から転送されてきたデータストリーム中に、クロック３から与えられた一時的情報を埋め込む。ウォーターマーカ４は、事情に応じて、多様な測定機器類（本件ではＧＰＳ）からデータ転送されてきた場合には、そのデータストリームにも同じ埋込みを行う。それ以上の予防措置として、従来公知の手段によって埋込み処理を暗号化することのできる装置をウォーターマーカ４に設けることが推奨される。
【００２４】
このようにして得られたデータストリームはランダムアクセスメモリ（ＲＡＭ）に保存される。ＲＡＭ６の後段には論理装置１５が設けられ、これがコネクタ８に接続されて、ＲＡＭ６に保存されたデータの抽出を行うようになってる。論理回路１５の機能は、正式に認証を得た人のみがデータ抽出の権限を得られるようにすることである。このために、パスワードを使うといったような、従来の確実な方法が利用されることになる。
【００２５】
できる限り小型で軽量になるようにした検証装置１００を製造するために、ケース１３の内部には隔室が設けられて、企図した適用例によっては、その中に一連のプラグイン用電子カード類を挿入するようにしてもよいが、カード類の挿入はケースを閉じて密封する前に行う。例えば、以下のような装置を電子カードの形態で設けることができる。すなわち、中央処理装置１、カメラ２’用の画像処理回路、または、ビデオカメラ用の画像処理回路、マイクロフォン２”用のアナログ−デジタル変換装置、ウォーターマーカ４、ＲＡＭ６などであるが、装置１００がＧＰＳ受信装置を備えていない場合には、このようなカード化をＧＰＳ信号処理回路またはクロック３にも適用する。上記以外に斟酌し得る測定装置（距離測定装置、温熱探針、傾斜計、電子式コンパスなど）については、そういう装置がアナログ−ディジタル変換装置に接続されたアナログデータ取得用基板を備えているようにするのが至便である。
【図面の簡単な説明】
【００２６】
【図１】本発明の実施形態による装置の概略図である。
【図１】
2006512801.tif 000003
【国際調査報告】
2006512801.tif 000004
2006512801.tif 000005
2006512801.tif 000006